(57)【要約】スカーフやネックレス等と共に使用して、全体として新たな美観を引き出す装飾体を提供し、特にネックレスと共に使用する場合には、ネックレスの美観を大きく変更することができて、ネックレスの新しい美観を引き出すことができると共に、ネックレスが首回りの長さに合わなくなったときでも、長さを調整せずに使用できるようにすることができる装飾体を提供することを目的としている。  この目的を達成するため、特にネックレスと共に使用する場合には、ネックレス１０と連結されて首飾りとして使用される装飾体１１であって、一端に設けられている第２留め具１５がネックレス１０の一端に設けられた第１留め具１２と係脱可能であり、他端側部１１ａには、ネックレス１０の他端側部１７を挿通できて係合自在な係合部１６が設けられている。この装飾体１１は、首回りの約半分の長さの湾曲部１４を有し、係合部１６は、ネックレス１０の他端側部１７を挿通可能な挿通孔１６ａを備えている。【特許請求の範囲】
【請求項１】
一端に第一係合部が設けられ、他端に第二係合部が設けられ、該第一係合部及び該第二係合部が被係合体と係合可能であることを特徴とする装飾体。
【請求項２】
前記被係合体がネックレスであって、前記第一係合部が前記ネックレスの一端と係脱可能な留め具であり、前記第二係合部が前記装飾部の他端側部に前記ネックレスの他端側部と係合自在に設けられていることを特徴とする請求項１記載の装飾体。
【請求項３】
前記装飾体が首回りの約半分の長さの湾曲部を有することを特徴とする請求項１又は２記載の装飾体。
【請求項４】
前記第二係合部は、前記ネックレスの前記他端側部を挿通可能な１又は２以上の挿通孔を形成するものであることを特徴とする請求項２又は３記載の装飾体。
【請求項５】
前記装飾体の前記他端側部は、２つに枝分かれしていることを特徴とする請求項１乃至４のいずれかに記載の装飾体。
【請求項６】
前記装飾体の前記他端側部が螺旋状に屈曲形成されていることを特徴とする請求項１乃至４のいずれかに記載の装飾体。
【請求項７】
前記ネックレスが連珠であることを特徴とする請求項２乃至６のいずれかに記載の装飾体。
【請求項８】
請求項２乃至７のいずれかに記載の装飾体の前記留め具が前記ネックレスの前記一端と係脱自在に連結し、前記係合部に前記ネックレスの前記他端側部を係合自在であることを特徴とする装飾体付きネックレス。
【請求項９】
ブローチ及び帯留めのいずれかである装飾体とネックレスとを環状に連結して首飾りとして使用される装飾体付きネックレスであって、
前記装飾体は、当該装飾体を衣服に着脱自在に取り付けるための針状部と、前記針状部が前記衣服から外れることを防止するための外れ止め部とから成る係合部を備え、前記係合部は、前記ネックレスの一端と、その他端側部とを係脱自在に連結することを特徴とする装飾体付きネックレス。
【請求項１０】
前記ネックレスが連珠であることを特徴とする請求項９記載の装飾体付きネックレス。
【請求項１１】
前記被係合体が布製、皮製、毛皮又はレース製であることを特徴とする請求項１記載の装飾体。
【請求項１２】
前記第一係合部及び前記第二係合部はリング状であって、前記被係合体を前記第一係合部及び前記第二係合部に通すことによって前記被係合体と係合する請求項１１記載の装飾体。
【請求項１３】
前記第一係合部と前記第二係合部との間に宝玉又は連珠を有することを特徴とする請求項１１又は１２記載の装飾体。
【請求項１４】
３以上の複合装飾体要素が直列に連結され、前記複合装飾体要素が装飾体又は被係合体であり、各装飾体に隣接する複合装飾体要素が被係合体であり、前記装飾体が請求項１、１１乃至１３のいずれかに記載の装飾体である複合装飾体。
【発明の詳細な説明】
【技術分野】
【０００１】  本発明は、ネックレスやスカーフ等と連結して使用することができる装飾体、その装飾体付きネックレス及び装飾体等が連結してなる複合装飾体に関する。
【背景技術】
【０００２】  従来のネックレスの一例として、図１８〜図２０に示すものがある（例えば、特許文献１参照。）。このネックレス１は、図１８に示すように、ネックレス本体２が連珠から成っており、このネックレス本体２の一端にオス留め具３が設けられている。そして、ネックレス本体２の他端にメス留め具４が設けられている。このオス留め具３は、円環状枠体３ａを有し、この円環状枠体３ａの一方の面に第１半球状装飾部３ｂが取り付けられ、他方の面に第２半球状装飾部３ｃが取り付けられている。第１半球状装飾部３ｂは、例えばダイヤモンドを一面に取り付けたものであり、華やかな美観を有するものである。そして、第２半球状装飾部３ｃは、例えば半玉真珠で形成したものであり、シックで上品な美観を有するものである。【０００３】  メス留め具４は、図１８に示すように、カップ状の容器本体４ａと蓋体４ｂとを有し、両者がヒンジ５を介して開閉可能に連結するものである。そして、図１９及び図２０に示すように、メス留め具４は、内側にオス留め具３を収容できる大きさに形成されている。なお、蓋体４ｂには、開口部４ｃが形成されている。そして、容器本体４ａ及び蓋体４ｂには、蓋体４ｂを閉じておくための係合部６ａ及び被係合部６ｂが設けられている。そして、容器本体４ａの縁部には、切欠き部７が形成されている。この切欠き部７は、オス留め具３の連結部８を収容するためのものである。【０００４】  このネックレス１を使用するときは、第１の使用方法として、例えば図１９に示すように、オス留め具３をメス留め具４の容器本体４ａ内に配置して、蓋体４ｂを閉じる（図２０参照）。このとき、第１半球状装飾部３ｂが蓋体４ｂの開口部４ｃから露出するように、オス留め具３をメス留め具４内に配置する。また、第２の使用方法として、図には示さないが、第２半球状装飾部３ｃが蓋体４ｂの開口部４ｃから露出するように、オス留め具３をメス留め具４内に配置して使用することもできる。【０００５】  このように、図１８に示すネックレス１によると、服装に応じて、華やかな第１の使用方法、及びシックで上品な第２の使用方法の２つの使用方法で使用できるので、１本のネックレス１の使用範囲を拡げることができる。【０００６】  また、従来のスカーフと装飾体とが結合したネックレスの一例として、図２１に示すものがある。このネックレス１０１は、図２１に示すように、スカーフ１０４と装飾体１０２から構成されている。スカーフ１０４は薄手で軟らかく長細いものであり、装飾体１０２は真珠等の宝玉である。装飾体１０２に施された貫通穴１０３にスカーフ１０４が通されており、装飾体１０２はスカーフ１０４の所定位置に固定されている。このネックレス１０１は、装着者の胸元から首にまわし、首の後ろでスカーフ１０４の両端を結ぶことで装着することができる。このような、スカーフ１０４と装飾体１０２とが結合したネックレス１０１は、しなやかさと華やかさを兼ね備えており、見る人に貴金属から構成される通常のネックレスとは異なる美的印象を与えることができる。
【特許文献１】特開２００１−７８８１７号公報
【発明の開示】
【発明が解決しようとする課題】
【０００７】  しかし、図１８に示す従来のネックレス１では、図２０に示すように、メス留め具４の蓋体４ｂの開口部４ｃから露出する半球状装飾部を、第１及び第２半球状装飾部３ｂ及び３ｃうちのいずれかに変更することができるが、このようにして変更するだけでは、ネックレス１の美観を変更する程度が小さいし、このネックレス１に対して、新しい美観を引き出すことができない。【０００８】  そして、このネックレス１では、首回りの長さに合わなくなったときは、使用できないので、使用するときは、長さを調整する必要がある。例えば元のものよりも長くする場合は、同じ珠を用意して連結する必要があるので、費用と手間が掛かる。【０００９】  また、図２１に示す従来のスカーフ１０４と装飾体１０２とが結合したネックレス１０１は、装飾体１０２がスカーフ１０４の所定位置に固定されている。具体的には、装飾体１０２の貫通穴１０３の径が小さく作られており、さらに装飾体１０２がスカーフ１０４に固定されるような加工が施されている。そのため、装飾体１０２と結合するスカーフ１０４は交換できず、スカーフ１０４と装飾体１０２との組合せを変えることによってネックレス１０１の柄、質及び長さ等を変更することはできない。【００１０】  本発明は、上記のような課題を解決するためになされたものであり、スカーフやネックレス等と共に使用して、全体として新たな美観を引き出す装飾体を提供することを目的としている。特に、ネックレスと共に使用する場合には、ネックレスの美観を大きく変更することができて、ネックレスの新しい美観を引き出すことができると共に、ネックレスが首回りの長さに合わなくなったときでも、長さを調整せずに使用できるようにすることができる装飾体、及びその装飾体付きネックレスを提供することを目的としている。
【課題を解決するための手段】
【００１１】  本発明は、一端に第一係合部が設けられ、他端に第二係合部が設けられ、該第一係合部及び該第二係合部が被係合体と係合可能であることを特徴とする装飾体である。【００１２】  この発明に係る装飾体によると、装飾体と被係合体との組合せを自由に変更できることから、装飾体と被係合体とから成る複合装飾体全体としての長さやデザインを容易に変更することができる。【００１３】  また、この発明に係る装飾体において、前記被係合体がネックレスであって、前記第一係合部が前記ネックレスの一端と係脱可能な留め具であり、前記第二係合部が前記装飾部の他端側部に前記ネックレスの他端側部と係合自在に設けられるようにするとよい。【００１４】  この発明に係る装飾体によると、一端に設けられている留め具にネックレスの一端を連結して、この装飾体の他端側部に設けられている係合部をネックレスの他端側部に係合させることができる。これによって、この装飾体とネックレスとによって環状体を形成することができ、この環状体を形成する装飾体付きネックレスによって、首回りを装飾することができる。また、ネックレス及び装飾体のいずれか一方、又は両方を２種類以上用意することによって、ネックレスと装飾体との組合せを２つ以上作ることができる。更に、ネックレスは、装飾体と組合わせることなく、単独でも使用できるので、ネックレスとしての使用価値を損なうことがない。そして、ネックレスが、首回りの長さに合わなくなったときでも、長さを調整せずに、装飾体と連結して使用することができる。【００１５】  そして、この発明に係る装飾体において、前記装飾体が首回りの約半分の長さの湾曲部を有するようにするとよい。このようにすると、装飾体とネックレスとによって首周りを装飾する範囲が略半分ずつとなり、両者による装飾的効果を調和させることができる。【００１６】  また、この発明に係る装飾体において、前記係合部は、前記ネックレスの前記他端側部を挿通可能な１又は２以上の挿通孔を形成するものとするとよい。このようにすると、ネックレスを挿通孔に挿通することによって、ネックレスと装飾体とを簡単に係合させることができるし、切り離すことができて便利である。【００１７】  更に、この発明に係る装飾体において、前記装飾体の前記他端側部を、２つに枝分させるとよい。このように２つに枝分かれした他端側部によって、装飾的効果を奏することができる。【００１８】  そして、この発明に係る装飾体において、前記装飾体の前記他端側部を螺旋状に屈曲形成するとよい。このように螺旋状に屈曲形成された他端側部は、ネックレスを絡ませて使用することができ、これによって、装飾的効果を奏することができる。【００１９】  また、この発明に係る装飾体において、前記ネックレスを連珠とするとよい。このように、ネックレスを連珠とすると共に、装飾体を例えば貴金属製の線状体に宝石を取り付けたものとすることによって、連珠の有する上品さと、貴金属及び宝石の有する華やかさとが相俟って、独特の美観を奏することができる。【００２０】  更に、本発明に係る装飾体付きネックレスは、上記発明の装飾体の前記留め具が前記ネックレスの前記一端と着脱自在に連結し、前記係合部に前記ネックレス���前記他端側部を係脱自在であることを特徴とするものである。この発明に係る装飾体付きネックレスによると、装飾体によって、上記のような作用を奏することができる。【００２１】  そして、本発明に係る装飾体付きネックレスは、ブローチ及び帯留めのいずれかである装飾体とネックレスとを環状に連結して首飾りとして使用される装飾体付きネックレスであって、前記装飾体は、当該装飾体を衣服に着脱自在に取り付けるための針状部と、前記針状部が前記衣服から外れることを防止するための外れ止め部とから成る係合部を備え、前記係合部は、前記ネックレスの一端と、その他端側部とを係脱自在に連結することを特徴とするものである。【００２２】  この発明に係る装飾体付きネックレスによると、ブローチ又は帯留めである装飾体を例えばペンダントトップとして使用することができる。よって、装飾体の有するブローチ又は帯留めの装飾的効果を、ネックレスに対して付与することができる。そして、装飾体をネックレスから取り外して、装飾体をブローチ又は帯留めとして使用することができるし、ネックレスのみでも使用することができる。また、ネックレス及び装飾体のいずれか一方、又は両方を２種類以上用意することによって、ネックレスと装飾体との組合せを多数作ることができる。よって、その多数の組合せのうちから所望の組合せを選択して使用することができる。更に、この装飾体をブローチ又は帯留めとして使用するときは、係合部によって、この装飾体を衣服に着脱自在に取り付けることができる。そして、この係合部を介して、ネックレスの一端と他端側部とを係脱自在に連結することができる。【００２３】  また、この発明に係る装飾体付きネックレスにおいて、前記ネックレスを連珠とするとよい。このように、ネックレスを連珠とすると共に、装飾体を例えば多数の珠を取り付けたものとすることによって、ネックレスの上品さに、装飾体の華やかさを兼ね備えた美観を奏することができる。【００２４】  更に、この発明に係る装飾体において、前記被係合体を布製、皮製、毛皮又はレース製とするとよい。このように被係合体を布製、皮製、毛皮又はレース製とすることで、貴金属とは異なるしなやかさと華やかさを兼ね備えたネックレス等にすることができる。また、被係合体が布状であれば貴金属に比べ安価であることから長いものを使用することができる。つまり、ネックレスやブレスレットのみならず、ベルトとしても使用することができる。【００２５】  そして、この発明に係る装飾体において、前記第一係合部及び前記第二係合部はリング状であって、前記被係合体を前記第一係合部及び前記第二係合体に通すことによって前記被係合体に係合させることができるようにするとよい。このような方法で係合できるような構造にすることで、スカーフ等の被係合体を容易に交換することができる。【００２６】  また、この発明に係る装飾体において、前記第一係合部と前記第二係合部との間に宝玉又は連珠を有するようにするとよい。このように、第一係合部と第二係合部の間に宝玉を設けることで、ワンポイント的な美観を奏することができる。一方、第一係合部と第二係合部との間に連珠を設けることで、宝玉よりも華やかな美観を奏することができる。���００２７】  更に、この発明に係る連結装飾体は、３以上の複合装飾体要素が直列に連結され、前記複合装飾体要素が装飾体又は被係合体であり、各装飾体に隣接する複合装飾体要素が被係合体である。この発明に係る複合装飾体によると、装飾体や被係合体を増やすことで美的ポイントも増え、また、容易に複合装飾体全体の長さを調節することができる。
【発明の効果】
【００２８】  この発明に係る装飾体によると、ネックレス等の被係合体と連結して使用することによって、被係合体と装飾体との美観が一体となるので、被係合体の美観を大きく変更することができるし、被係合体の新しい美観を引き出すことができる。そして、被係合体及び装飾体のいずれか一方、又は両方を２種類以上用意することによって、被係合体と装飾体との組合せを多数作ることができる。よって、その多数の組合せのうちから所望の組合せを選択して使用できるので、選択の幅を図１８及び２１に示す従来のものよりも拡げることができる。また、ネックレスが、首回りの長さに合わなくなったときでも、長さを調整せずに、装飾体と連結して使用することができるので、長さ調整のための費用と手間が不要である。
【図面の簡単な説明】
【００２９】
【図１】この発明の第１実施形態に係る装飾体付きネックレスを示す正面図である。
【図２】同第１実施形態のネックレスに設けられている第１留め具の開いた状態を示す部分拡大斜視図である。
【図３】同第１実施形態のネックレスに設けられている第１留め具の閉じた状態を示す部分拡大斜視図である。
【図４】同第１実施形態のネックレスをそれのみで使用する状態を示す正面図である。
【図５】同第１実施形態のネックレスをそれのみで使用する状態の他の例を示す正面図である。
【図６】同第１実施形態の装飾体を示す拡大斜視図である。
【図７】同発明の第２実施形態に係る装飾体付きネックレスを示す斜視図である。
【図８】同第２実施形態の装飾体の係合部を示す部分拡大斜視図である。
【図９】同発明の第３実施形態に係る装飾体付きネックレスを示す正面図である。
【図１０】同第３実施形態の装飾体の係合部を示す部分拡大斜視図である。
【図１１】同発明の第４実施形態に係る複合装飾体に使用される装飾体を示す正面図である。
【図１２】図１１の装飾体とスカーフとを用いた複合装飾体の正面図である。
【図１３】図１２に示すスカーフと装飾体との係合方法を示す図である。
【図１４】図１２に示すスカーフと装飾体との係合方法を示す図である。
【図１５】図１２に示すスカーフと装飾体との係合方法を示す図である。
【図１６】図１２に示すスカーフと装飾体との他の係合方法を示す図である。
【図１７】図１２に示すスカーフと装飾体との更に他の係合方法を示す図である。
【図１８】従来のネックレスのメス留め具を開いた状態を示す斜視図である。
【図１９】同従来のネックレスのメス留め具にオス留め具を収納した状態を示す部分斜視図である。
【図２０】同従来のネックレスのメス留め具にオス留め具を収納した使用状態を示す部分斜視図である。
【図２１】従来の装飾体とスカーフを用いたネックレスの正面図である。
【発明を実施するための最良の形態】
【００３０】  以下、本発明に係る装飾体が使用されている装飾体付きネックレスの第１実施形態を図１〜図６を参照して説明する。この装飾体付きネックレス９は、図１に示すように、首に掛けて首回りを装飾することができるものであり、ネックレス１０と、装飾体１１とから成っている。【００３１】  ネックレス１０は、図１に示すように、ネックレス本体１０ａと、その一端に設けられている第１留め具１２とから成っている。ネックレス本体１０ａは、連珠であり、例えば多数の球形の真珠１０ｂ、・・・のそれぞれの中心部に挿通孔を形成して、各挿通孔に可撓性の糸等の連結体（図示せず）を通して、これら多数の真珠１０ｂ、・・・を連結したものである。なお、これらの真珠１０ｂ、・・・は、略同一の大きさである。【００３２】  第１留め具１２は、図２及び図３に示すように、それぞれが略半円弧状の固定側半割部１２ａと、揺動側半割部１２ｂとから成っている。図２は、この第１留め具１２が開いた状態を示しており、固定側半割部１２ａは、ネックレス本体１０ａの一端に固定して取り付けられている。そして、揺動側半割部１２ｂは、その一端がヒンジ１２ｃを介して揺動自在に固定側半割部１２ａの一端に取り付けられている。図３は、第１留め具１２が閉じた状態を示しており、固定側半割部１２ａ及び揺動側半割部１２ｂのそれぞれの他端が互いに係合している。こられそれぞれの他端は、係止部１２ｄ及び被係止部１２ｅによって互いに係合している。このように、第１留め具１２が閉じた状態で、固定側半割部１２ａ及び揺動側半割部１２ｂが略円環状体を形成することができる。【００３３】  図４は、ネックレス本体１０ａの一端に設けられている第１留め具１２を、ネックレス本体１０ａの他端に係合させた状態を示している。同図に示すように、第１留め具１２は、ネックレス本体１０ａの他端に配置されている第１の真珠１０ｂ１と第２の真珠１０ｂ２との間に配置されており、閉じた状態の第１留め具１２が形成する挿通孔１３に連結体が挿通している。この挿通孔１３は、それぞれの真珠１０ｂよりも小さく形成されているので、第１留め具１２が第１の真珠１０ｂ１と第２の真珠１０ｂ２との間から外れることはない。【００３４】  図５は、第１留め具１２を、ネックレス本体１０ａの他端から所定の寸法だけ離れた部分に係合させた状態を示している。第１留め具１２は、図４に示す場合と同様に、互いに隣り合う２つ真珠１０ｂと１０ｂとの間に配置されており、第１留め具１２が形成する挿通孔１３に連結体が挿通している。【００３５】  装飾体１１は、図６に示すように、首回りの約半分の長さの略半円弧状の湾曲部１４を備えており、材質が例えば金、銀等の貴金属である。ただし、図には示さないが、外側表面には、多数のダイヤが取り付けられている。そして、その一端には、第２留め具１５が形成されている。第２留め具１５は、環状体であり、図１に示すように、この第２留め具１５にネックレス本体１０ａの第１留め具１２が係脱自在に係合される。【００３６】  また、図６に示すように、装飾体１１の他端側部１１ａは、２つに枝分かれしており、この枝分かれしている２つの他端側部１１ａ、１１ａは、装飾体１１の約１／３の長さである���そして、この２つの他端側部１１ａ、１１ａの一方の内面には係合部１６が設けられている。この係合部１６は、線状の屈曲部材であって、両端部が他端側部１１ａの内面に結合しており、装飾体１１の内側に向かって屈曲している。これら係合部１６と他端側部１１ａとによって挿通孔１６ａが形成されている。この挿通孔１６ａは、図１に示すように、ネックレス本体１０ａを挿通できる大きさに形成されている。【００３７】  上記のように構成された装飾体付きネックレス９を使用するときは、図１に示すように、例えば、まず、装飾体１１の一端に設けられている第２留め具１５に、ネックレス１０の一端に設けられている第１留め具１２を連結する。そして、装飾体１１の他端側部１１ａに設けられている係合部１６に、ネックレス１０の他端側部１７を挿通して係合させる。これによって、この装飾体１１とネックレス１０とで環状体を形成することができ、この環状体を形成する装飾体付きネックレス９によって、首回りを装飾することができる。このように、この装飾体１１によると、ネックレス１０と連結して使用することによって、ネックレス１０と装飾体１１との美観が一体となるので、ネックレス１０の美観を大きく変更することができるし、ネックレス１０の新しい美観を引き出すことができる。【００３８】  また、図には示さないが、ネックレス１０及び装飾体１１のいずれか一方、又は両方を２種類以上用意することによって、ネックレス１０と装飾体１１との組合せを多数作ることができる。よって、その多数の組合せのうちから所望の組合せを選択して使用できるので、選択の幅を図１８に示す従来のものよりも拡げることができる。【００３９】  更に、ネックレス１０は、装飾体１１と組合せることなく、単独でも使用することができるので、ネックレス１０としての使用価値を損なうことがない。そして、ネックレス１０が、首回りの長さに合わなくなったときでも、例えばネックレス１０を長くするために、真珠１０ｂを追加して連結する等の調整が不要であり、装飾体１１と連結して使用することができる。よって、長さ調整のための費用と手間が掛からない。【００４０】  そして、図１に示すように、装飾体１１は、首回りの約半分の長さの湾曲部１４を有しているので、装飾体１１とネックレス１０とによって首周りを装飾する範囲が略半分ずつとなり、両者による装飾的効果を調和させることができる。【００４１】  また、係合部１６は、図１に示すように、ネックレス１０の他端側部１７を挿通可能な挿通孔１６ａを形成するものであるので、この挿通孔１６ａにネックレス１０を挿通することによって、ネックレス１０と装飾体１１とを簡単に係合させることができるし、切り離すことができて便利である。更に、装飾体１１の他端側部１１ａ、１１ａは、２つに枝分かれしているので、このように２つに枝分かれした他端側部１１ａ、１１ａによって、装飾的効果を奏することができる。【００４２】  また、図１に示すように、この装飾体付きネックレス９によると、ネックレス１０が真珠の連珠であると共に、装飾体１１が貴金属製の線状体にダイヤ等の宝石を取り付けたものであるので、真珠の有する上品さと、貴金属及び宝石の有する華やかさとが相俟って���独特の美観を奏することができる。【００４３】  次に、この発明に係る装飾体付きネックレスの第２実施形態を、図７及び図８を参照して説明する。第２実施形態と第１実施形態とが相違するところは、装飾体１８、１１の他端側部１８ａ、１１ａ及び係合部１６が相違するところである。これ以外は、第１実施形態と同等であるので、同等部分を同一の図面符号で示し、それらの詳細な説明を省略する。【００４４】  第２実施形態に係る装飾体付きネックレス１９に使用されている装飾体１８の他端側部１８ａは、図７及び図８に示すように、螺旋状に屈曲形成されたものであって、この螺旋状部分は、約１ピッチ半だけ形成されている。そして、この他端側部１８ａは、この装飾体付きネックレス１９を身に着けた状態で、垂下方向に向かうように形成されている。また、係合部１６は、第１実施形態と同等のものを、互いに間隔を隔てて２つ設けてある。この２つの係合部１６、１６は、装飾体１８を身に着けた状態で、装飾体１８の身体に向かう側の目立ち難い部分に設けてある。【００４５】  この装飾体付きネックレス１９によると、図７に示すように、装飾体１８の螺旋状に屈曲形成された他端側部１８ａに、ネックレス１０を絡ませて使用することができ、これによって、装飾的効果を奏することができる。そして、第１実施形態と同様に、２つの各係合部１６、１６に、ネックレス１０の他端側部１７を挿通して使用することができる。【００４６】  次に、この発明に係る装飾体付きネックレスの第３実施形態を、図９及び図１０を参照して説明する。第３実施形態と第１実施形態とが相違するところは、装飾体２１、１１が相違するところである。これ以外のネックレス１０は、第１実施形態と同等であるので、同一の図面符号で示し、その詳細な説明を省略する。【００４７】  第３実施形態に係る装飾体付きネックレス２２に使用されている装飾体２１は、図９及び図１０に示すように、ブローチである。この装飾体２１は、図９に示すように、ネックレス１０とで環状に連結して首飾りとして使用される。そして、この装飾体２１は、装飾本体部２３と、この装飾本体部２３を衣服に着脱自在に取り付けるための係合部２４とを備えている。装飾本体部２３は、例えば大きさの相違する７個の真珠２３ａ、・・・を保持部２４ａに取り付けて成るものである。【００４８】  係合部２４は、図１０に示すように、針状部２４ｂを有し、この針状部２４ｂは、基端部がヒンジ２４ｃを介して揺動自在に保持部２４ａに設けられている。この針状部２４ｂの先端部は、保持部２４ａに設けられている外れ止め部２４ｄと係脱自在に係合している。針状部２４ｂの先端部が外れ止め部２４ｄに係合した状態で、この針状部２４ｂにネックレス１０に設けられている第１留め具１２を係合させることができると共に、この針状部２４ｂと保持部２４ａとの間にネックレス１０の他端側部１７を挟み込んで係合させることができる。このようにして、係合部２４は、ネックレス１０の一端と、その他端側部１７とを係脱自在に連結することができる。これによって、図９に示すように、装飾体２１とネックレス１０とを環状に連結することができ、首飾りとして使用することができる。【００４９】  このように��環状に連結する装飾体２１とネックレス１０とから成る装飾体付きネックレス２２によると、装飾体（ブローチ）２１をペンダントトップとして使用することができる。よって、装飾体２１の有するブローチの装飾的効果を、ネックレス１０に対して付与することができる。そして、装飾体２１をネックレス１０から取り外して、装飾体２１をブローチとして使用することができるし、ネックレス１０のみでも使用することができる。また、ネックレス１０及び装飾体２１のいずれか一方、又は両方を２種類以上用意することによって、ネックレス１０と装飾体２１との組合せを多数作ることができる。よって、その多数の組合せのうちから所望の組合せを選択して使用することができる。更に、この装飾体２１をブローチとして使用するときは、係合部２４によって、この装飾体２１を衣服に着脱自在に取り付けることができる。【００５０】  次に、この発明に係る複合装飾体の第４の実施形態を、図１１から図１５を参照して説明する。本実施形態に係る複合装飾体１２１は、連珠を有する装飾体１１１と被係合体であるスカーフ１２２とが係合してネックレスとして使用することができるものである。図１１は複合装飾体１２１（図１２参照）を構成する装飾体１１１の正面図である。図１１に示すように、装飾体１１１は、連珠部分に当たる装飾部１１２と、装飾体１１２の一端に設けられた第一係合部１１３と、装飾体１１１の他端に設けられた第二係合部１１４とを備える。装飾部１１２は、複数の真珠１１５と、図示しないが、各真珠に施された挿通孔に通されて真珠を連結する可撓性の糸等の連結体とを有する。第一係合部１１３及び第二係合部１１４は真珠１１５の直径とほぼ同一直径のリング形状であり、真珠１１５同士をつなぐ連結体と結合している。【００５１】  図１２は、図１１の装飾体１１１を用いた複合装飾体１２１の正面図である。図１２に示すように、複合装飾体１２１は１つの装飾体１１１と２つの被係合体であるスカーフ１２２とから構成されている。スカーフ１２２は薄手で軟らかく長細いものである。スカーフ１２２と装飾体１１１との係合は次のように行われる。つまり、まず、図１３に示すように、スカーフ１２２は長手方向の中央付近で二つ折りにされ、折り返し部分１２３を装飾体１１１の第一係合部１１３に通す。次に、図１４に示すように、第一係合部１１３に通した折り返し部分１２３で環状部１２４を形成し、その環状部１２４の中にスカーフ１２２の両端部を通す。そして、スカーフ１２２の両端部を引っ張ることで、図１５に示すように、結び目１２５を形成する。これによって、スカーフ１２２を装飾体１１１の第一係合部１１３に結合させることができる。同様に、第二係合部１１４にも他のスカーフ１２２を通すことにより、スカーフ１２２を装飾体１１１の第二係合部１１４に結合させることができる。このようにして、スカーフ１２２と装飾体１１１を有する複合装飾体１２１を構成することができる。この複合装飾体１２１は、装着者の首にまわして、首の後で２つのスカーフ１２２を結ぶことによりネックレスとして使用することができる。【００５２】  このように、本実施形態に係る複合装飾体（ネックレス）１２１は、２つのそれぞれのス��ーフ１２２と装飾体１１１とを容易に結合することができ、かつ、容易に外すことができる。よって、この複合装飾体１２１に使用されるスカーフ１２２と装飾体１１１との組合せを容易に変更して新しい組合せを作ることができる。さらに、スカーフ１２２は、装飾体１１１に対して、特別な取り付け具を使用していないことから、専用のスカーフを用いる必要は無い。ただ、スカーフ１２２は、第一係合部１１３及び第二係合部１１４を通るような生地の薄いものや細いものである必要がある。よって、一般に流通しているスカーフ等を被係合体として用いることができるため、ネックレスのデザイン選択の幅が広がる。また、スカーフ１２２を短くしたり、腕に二重に巻きつけたりすれば、ブレスレットとして使用することもできる。さらに、比較的長いスカーフ１２２を用いればベルトとして使用することもできる。【００５３】  ただし、上記第１乃至第３実施形態では、図１等に示すように、ネックレス１０として、真珠を連結した連珠を例に挙げたが、真珠に代えて、サンゴ、象牙、木の実、ガラス珠等を使用してもよいし、金属環を鎖状に連結したものを使用してもよい。【００５４】  そして、上記第１及び第２実施形態では、図１及び図７に示すように、装飾体１１、１８は、略半円弧状の湾曲部１４を有し、その外側表面に多数のダイヤを取り付けた構成としたが、これ以外の構成としてもよい。例えば湾曲部１４に真珠等を取り付けてもよい。【００５５】  また、上記第１及び第２実施形態では、図１及び図７に示すように、装飾体１１、１８の他端側部１１ａ等に設けられている係合部１６は、挿通孔１６ａを有する構成としたが、これに代えて、例えば図１０に示す第３実施形態の係合部２４を適用してもよい。【００５６】  更に、上記第３実施形態では、図９に示すように、装飾体付きネックレス２２の装飾体２１として、ブローチを使用したが、ブローチに代えて、帯留めを使用してもよい。この帯留めにも図１０に示す係合部２４が設けられている。【００５７】  そして、上記第１及び第２実施形態では、図１等に示すように、係合部１６の両端部を装飾体１１の他端側部１１ａに固定して結合したが、これに代えて、例えば係合部１６の一端を他端側部１１ａと枢支部（図示せず）を介して揺動自在に設け、係合部１６の他端を他端側部１１ａに対して係脱自在に設けた構成としてもよい。これによって、ネックレス本体１０を係合部１６に対して簡単に係脱させることができる。【００５８】  また、上記第４実施形態では、図１３乃至１５に示すように、スカーフ１２２を係合部１１３、１１４に結び付けることにより、装飾体１１１とスカーフ１２２とを結合させる例を挙げたが、これ以外の方法を使用してもよい。例えば、スカーフ１２２が比較的厚手のものであって、係合部１１３、１１４にスカーフ１２２が通りにくい場合がある。この場合には、図１６に示すように、スカーフ１２２を二つ折りにせず、スカーフ１２２の端部１２６のみを係合部１１３、１１４に通して折り返す。そして、固定用リング１２７を使用して、端部１２６をスカーフ１２２の本体部分に固定し、スカーフ１２２が係合部１１３、１１４から抜けないようにしても良い。この場合、固定用リング１��７を目立たないように、リング１２７の色彩をスカーフ１２２と同系色としてもよいし、華やかにしたい場合には固定用リング１２７に装飾を施してもよい。【００５９】  また、上記複合装飾体の実施形態では、図１２に示すように装飾体１１１の装飾部１１２を連珠としたが、図１７に示すように、装飾部１１２を一粒の真珠のような宝玉で形成された装飾部１２８としてもよい。この場合、図１７に示すように、第一係合部１２９及び第二係合部１３０は装飾部１２８の裏側に向い合うように取り付けてもよい。これにより、同じような柄のスカーフが２つなくとも、１つのスカーフ１２２を第一係合部１２９及び第二係合部１３０に通すことで、左右のバランスを失わない複合装飾体とすることができる。なお、スカーフ１２２は装飾部１２８の裏側を通るため、表側から見た場合には、装飾部１２８の華やかさが失われることはない。【００６０】  更に、上記第４実施形態では、図１２に示すように、スカーフ１２２、１２２を使用したが、このスカーフ１２２、１２２に代えて、例えば皮製、毛皮製又はレース製の紐や帯状体等を使用しても良い。【００６１】  上記説明から、当業者にとっては、本発明の多くの改良や他の実施形態が明らかである。従って、上記説明は、例示としてのみ解釈されるべきであり、本発明を実行する最良の態様を当業者に教示する目的で提供されたものである。本発明の精神を逸脱することなく、その構造及び／又は機能の詳細を実質的に変更できる。
【産業上の利用可能性】
【００６２】  以上のように、本発明に係る装飾体は、スカーフやネックレス等と共に使用して、全体として新たな美観を引き出す複合装飾体を提供することができる。特に、ネックレスと共に使用する場合には、ネックレスの美観を大きく変更することができて、ネックレスの新しい美観を引き出すことができると共に、ネックレスが首回りの長さに合わなくなったときでも、長さを調整せずに使用できるようにすることができる優れた効果を有し、このような装飾体、及びその装飾体付きネックレス等に適用するのに適している。
【図１】
2006051910.tif 000002
【図２】
2006051910.tif 000003
【図３】
2006051910.tif 000004
【図４】
2006051910.tif 000005
【図５】
2006051910.tif 000006
【図６】
2006051910.tif 000007
【図７】
2006051910.tif 000008
【図８】
2006051910.tif 000009
【図９】
2006051910.tif 000010
【図１０】
2006051910.tif 000011
【図１１】
2006051910.tif 000012
【図１２】
2006051910.tif 000013
【図１３】
2006051910.tif 000014
【図１４】
2006051910.tif 000015
【図１５】
2006051910.tif 000016
【図１６】
2006051910.tif 000017
【図１７】
2006051910.tif 000018
【図１８】
2006051910.tif 000019
【図１９】
2006051910.tif 000020
【図２０】
2006051910.tif 000021
【図２１】
2006051910.tif 000022
【手続補正書】
【提出日】平成18年4月18日(2006.4.18)
【手続補正１】
【補正対象書類名】特許請求の範囲
【補正対象項目名】請求の範囲
【補正方法】変更
【補正の内容】
【書類名】請求の範囲
【請求項１】（削除）
【請求項２】（補正後）  一端に第一係合部が設けられ、他端に第二係合部が設けられ、該第一係合部及び該第二係合部が被係合体と係合可能である装飾体であって、
前記被係合体がネックレスであって、前記第一係合部が前記ネックレスの一端と係脱可能な留め具であり、前記第二係合部が前記装飾部の他端側部に前記ネックレスの他端側部と係合自在に設けられていることを特徴とする装飾体。
【請求項３】（補正後）  前記装飾体が首回りの約半分の長さの湾曲部を有することを特徴とする請求項２記載の装飾体。
【請求項４】前記第二係合部は、前記ネックレスの前記他端側部を押通可能な１又は２以上の挿通孔を形成するものであることを特徴とする請求項２又は３記載の装飾体。
【請求項５】（補正後）  前記装飾体の前記他端側部は、２つに枝分かれしていることを特徴とする請求項２乃至４のいずれかに記載の装飾体。
【請求項６】（補正後）  前記装飾体の前記他端側部が螺旋状に屈曲形成されていることを特徴とする請求項２乃至４のいずれかに記載の装飾体。
【請求項７】前記ネックレスが連珠であることを特徴とする請求項２乃至６のいずれかに記載の装飾体。
【請求項８】請求項２乃至７のいずれかに記載の装飾体の前記留め具が前記ネックレスの前記一端と係脱自在に連結し、前記係合部に前記ネックレスの前記他端側部を係合自在であることを特徴とする装飾体付きネックレス。
【請求項９】ブローチ及び帯留めのいずれかである装飾体とネックレスとを環状に連結して首飾りとして使用される装飾体付きネックレスであって、
前記装飾体は、当該装飾体を衣服に着脱自在に取り付けるための針状部と、前記針状部が前記衣服から外れることを防止するための外れ止め部とから成る係合部を備え、前記係合部は、前記ネックレスの一端と、その他端側部とを係脱自在に連結することを特徴とする装飾体付きネックレス。
【請求項１０】前記ネックレスが連珠であることを特徴とする請求項９記載の装飾体付きネックレス。
【請求項１１】（削除）
【請求項１２】（補正後）  一端に第一係合部が設けられ、他端に第二係合部が設けられ、該第一係合部及び該第二係合部が被係合体と係合可能である装飾体であって、
前記被係合体が布製、皮製、毛皮又はレース製であり、
前記第一係合部及び前記第二係合部はリング状であって、前記被係合体を前記第一係合部及び前記第二係合部に通すことによって前記被係合体と係合する装飾体。
【請求項１３】（補正後）  前記第一係合部と前記第二係合部との間に宝玉又は連珠を有することを特徴とする請求項１２記載の装飾体。
【請求項１４】（補正後）  ３以上の複合装飾体要素が直列に連結され、前記複合装飾体要素が装飾体又は被係合体であり、各装飾体に隣接する複合装飾体要素が被係合体であり、前記装飾体が請求項１２又は１３記載の装飾体である複合装飾体。
１８
【手続補正書】
【提出日】平成19年9月19日(2007.9.19)
【手続補正１】
【補正対象書類名】特許請求の範囲
【補正対象項目名】全文
【補正方法】変更
【補正の内容】
【特許請求の範囲】
【請求項１】
一端に第一係合部が設けられ、他端に第二係合部が設けられ、該第一係合部及び該第二係合部が被係合体と係合可能である装飾体であって、
前記被係合体がネックレスであって、前記第一係合部が前記ネックレスの一端と係脱可能な留め具であり、前記第二係合部が前記装飾体の他端側部に前記ネックレスの他端側部と係合自在に設けられていることを特徴とする装飾体。
【請求項２】
前記装飾体が首回りの約半分の長さの湾曲部を有することを特徴とする請求項１記載の装飾体。
【請求項３】
前記第二係合部は、前記ネックレスの前記他端側部を挿通可能な１又は２以上の挿通孔を形成するものであることを特徴とする請求項１又は２記載の装飾体。
【請求項４】
前記装飾体の前記他端側部は、２つに枝分かれしていることを特徴とする請求項１乃至３のいずれかに記載の装飾体。
【請求項５】
前記装飾体の前記他端側部が螺旋状に屈曲形成されていることを特徴とする請求項１乃至３のいずれかに記載の装飾体。
【請求項６】
前記ネックレスが連珠であることを特徴とする請求項１乃至５のいずれかに記載の装飾体。
【請求項７】
請求項１乃至６のいずれかに記載の装飾体の前記留め具が前記ネックレスの前記一端と係脱自在に連結し、前記係合部に前記ネックレスの前記他端側部を係合自在であることを特徴とする装飾体付きネックレス。
【請求項８】
ブローチ及び帯留めのいずれかである装飾体とネックレスとを環状に連結して首飾りとして使用される装飾体付きネックレスであって、
前記装飾体は、当該装飾体を衣服に着脱自在に取り付けるための針状部と、前記針状部が前記衣服から外れることを防止するための外れ止め部とから成る係合部を備え、前記係合部は、前記ネックレスの一端と、その他端側部とを係脱自在に連結することを特徴とする装飾体付きネックレス。
【請求項９】
前記ネックレスが連珠であることを特徴とする請求項８記載の装飾体付きネックレス。
【請求項１０】
一端に第一係合部が設けられ、他端に第二係合部が設けられ、該第一係合部及び該第二係合部が被係合体と係合可能である装飾体であって、
前記被係合体が布製、皮製、毛皮又はレース製であり、
前記第一係合部及び前記第二係合部はリング状であって、前記被係合体を前記第一係合部及び前記第二係合部に通すことによって前記被係合体と係合する装飾体。
【請求項１１】
前記第一係合部と前記第二係合部との間に宝玉又は連珠を有することを特徴とする請求項１０記載の装飾体。
【請求項１２】
３以上の複合装飾体要素が直列に連結され、前記複合装飾体要素が装飾体又は被係合体であり、各装飾体に隣接する複合装飾体要素が被係合体であり、前記装飾体が請求項１０又は１１記載の装飾体である複合装飾体。
【国際調査報告】
2006051910.tif 000023
2006051910.tif 000024
2006051910.tif 000025
2006051910.tif 000026